(57)【特許請求の範囲】
【請求項１】
キーが配置されるケース体と、
一端がケース体の近傍に配置される棒部材と、
棒部材の他端がケース体の側面から離れた状態を維持するように、棒部材に力を加えるばね部材とを備え、
棒部材は、棒部材の内部を摺動することによって棒部材から突き出る部分の長さが変化する延長部材を備えた
ことを特徴とする携帯電話装置。
【請求項２】
弾性体によって形成され、棒部材の一端を支持する棒部材支持部を備え、棒部材支持部とケース体とが嵌合する請求項１に記載の携帯電話装置。
【請求項３】
ばね部材は、コイルばねであり、ばね部材の一端が棒部材の一端の内部に挿入され、ばね部材の他端がケース体に固定される請求項１または請求項２に記載の携帯電話装置。
【請求項４】
ケース体は、円柱状の軸を有し、
棒部材は、一端にリング型の部材を有し、
棒部材は、リング型の部材に前記軸が通されることによってケース体に支持される請求項１に記載の携帯電話装置。
【請求項５】
棒部材は、外周に突起を備え、
ばね部材は、コイルばねであり、ばね部材の一端が前記突起に押し当てられ、ばね部材の他端がケース体に固定される請求項１または請求項４に記載の携帯電話装置。
【請求項６】
キーが配置されるケース体と、
一端が鈎型に湾曲した棒部材と、
前記棒部材の一端が取り付けられる板部材とを備え、
ケース体は、板部材と嵌合するケース体嵌合部を備え、
板部材は、ケース体と嵌合する板部材嵌合部を備え、携帯電話装置の長手方向に摺動し、
棒部材は、変形すると元の形状に回復しようとする
ことを特徴とする携帯電話装置。
【請求項７】
ケース体は、棒部材を引っかけることによって、棒部材をケース体の近傍に固定するフック部を備えた請求項１から請求項６のうちのいずれか１項に記載の携帯電話装置
【請求項８】
携帯電話装置を保持しやすくするために携帯電話装置のケース体に取り付けられる携帯電話装置の操作補助装置であって、
一端を中心に回転するように移動する棒部材と、
棒部材の位置を一定に維持するように、棒部材に力を加えるばね部材とを備え、
棒部材は、棒部材の内部を摺動することによって棒部材から突き出る部分の長さが変化する延長部材を備えた
ことを特徴とする携帯電話装置の操作補助部材。
【請求項９】
携帯電話装置を保持しやすくするために鈎部材を備える携帯電話装置のケース体に取り付けられる携帯電話装置の操作補助装置であって、
一端が鈎型に湾曲した棒部材と、
前記棒部材の一端が取り付けられる板部材とを備え、
板部材は、ケース体の鈎部材と嵌合する板部材嵌合部を備え、
板部材嵌合部は、所定の方向に延びる溝であり、
棒部材は、変形すると元の形状に回復しようとする
ことを特徴とする携帯電話装置の操作補助装置。
【発明の詳細な説明】
【０００１】
【発明の属する技術分野】
本発明は、携帯電話装置、および携帯電話装置の操作性を向上させる携帯電話装置の操作補助部材に関する。
【０００２】
【従来の技術】
近年、携帯電話装置は、通話のためだけでなく携帯情報端末としても用いられるようになった。例えば、インターネットを介して取得した情報の閲覧、ゲーム、電子メールの送受信等の用途にも用いられるようになった。これらの用途に携帯電話装置を使用する場合、使用者は携帯電話装置に設けられたキーを操作する。
【０００３】
図１２は、従来の携帯電話装置のキーを操作する様子を示す説明図である。携帯電話装置は片手で持てる大きさなので、操作者は片手で携帯電話装置を持ち、親指の先端付近で各キーを押下して操作することが多い。図１２（ａ）は、親指側のキーを押下する様子を示し、図１２（ｂ）は、親指から遠い位置にあるキーを押下する様子を示す。
【０００４】
携帯電話装置は、携帯性向上のため小型軽量化が図られ、幅のサイズも小さくなっている。その結果、操作者は、親指以外の指で携帯電話装置を支え、押下するキーの位置に応じて、手を開いたり閉じたりし、また、親指を曲げたり伸ばしたりして各キーを押下していた。
【０００５】
【発明が解決しようとする課題】
しかし、親指以外の指で携帯電話装置を支えると、携帯電話装置の保持が不安定になり、キーを押下しにくいという問題があった。特に、親指の動きが不自然になるため、親指にかかる負担が大きく、疲労やストレスを感じる場合があった。
【０００６】
本発明は、安定して保持することができる携帯電話装置、および携帯電話装置を保持しやすくし、疲労を感じさせないようにする携帯電話装置の操作補助部材を提供することを目的とする。
【０００７】
【課題を解決するための手段】
本発明による携帯電話装置は、キーが配置されるケース体と、一端がケース体の近傍に配置される棒部材と、棒部材の他端がケース体の側面から離れた状態を維持するように、棒部材に力を加えるばね部材とを備え、棒部材は、棒部材の内部を摺動することによって棒部材から突き出る部分の長さが変化する延長部材を備えたことを特徴とする。
【０００８】
そのような構成によれば、携帯電話装置を保持しやすい長さに棒部材を調整することができる。
【０００９】
弾性体によって形成され、棒部材の一端を支持する棒部材支持部を備え、棒部材支持部とケース体とが嵌合してもよい。
【００１０】
ばね部材は、コイルばねであり、ばね部材の一端が棒部材の一端の内部に挿入され、ばね部材の他端がケース体に固定されてもよい。
【００１１】
ケース体は、円柱状の軸を有し、棒部材は、一端にリング型の部材を有し、棒部材は、リング型の部材に軸が通されることによってケース体に支持されるようにしてもよい。
【００１２】
棒部材は、外周に突起を備え、ばね部材は、コイルばねであり、ばね部材の一端が突起に押し当てられ、ばね部材の他端がケース体に固定されてもよい。
【００１３】
また、本発明による携帯電話装置は、キーが配置されるケース体と、一端が鈎型に湾曲した棒部材と、棒部材の一端が取り付けられる板部材とを備え、ケース体は、板部材と嵌合するケース体嵌合部を備え、板部材は、ケース体と嵌合する板部材嵌合部を備え、携帯電話装置の長手方向に摺動し、棒部材は、変形すると元の形状に回復しようとすることを特徴とする。
【００１４】
そのような構成によれば、携帯電話装置を保持しやすい位置に棒部材を移動させることができる。
【００１５】
ケース体は、棒部材を引っかけることによって、棒部材をケース体の近傍に固定するフック部を備えていることが好ましい。そのような構成によれば、携帯電話装置を使用しないときであっても、棒部材が邪魔にならないようにすることができる。
【００１７】
また、本発明による携帯電話装置の操作補助部材は、携帯電話装置を保持しやすくするために携帯電話装置のケース体に取り付けられる携帯電話装置の操作補助装置であって、一端を中心に回転するように移動する棒部材と、棒部材の位置を一定に維持するように、棒部材に力を加えるばね部材とを備え、棒部材は、棒部材の内部を摺動することによって棒部材から突き出る部分の長さが変化する延長部材を備えたことを特徴とする。
【００１８】
また、本発明による携帯電話装置の操作補助部材は、携帯電話装置を保持しやすくするために鈎部材を備える携帯電話装置のケース体に取り付けられる携帯電話装置の操作補助装置であって、一端が鈎型に湾曲した棒部材と、棒部材の一端が取り付けられる板部材とを備え、板部材は、ケース体の鈎部材と嵌合する板部材嵌合部を備え、板部材嵌合部は、所定の方向に延びる溝であり、棒部材は、変形すると元の形状に回復しようとすることを特徴とする。
【００１９】
そのような構成によれば、所定の方向に板部材を摺動させることができ、携帯電話装置を保持しやすい位置に棒部材を移動させることができる。
【００２２】
【発明の実施の形態】
以下、本発明の実施の形態を図面を参照して説明する。
図１は、本発明の第一の実施の形態を示す外観図である。操作補助部材２は、キーが配置された携帯電話装置１のケース体の側面に設けられる。ケース体とは、携帯電話装置の筐体である。操作補助部材２が設けられる側面は、操作時に携帯電話装置１を保持する手の親指側の側面である。すなわち、操作補助部材２は、操作者が携帯電話装置１の背面（キー１２０が設けられた面の反対側の面）に触れるようにして携帯電話装置１を保持したときに親指側を向く側面に設けられる。以下、右手で携帯電話装置を操作する者を対象に、操作補助部材２が設けられる場合を例に説明する。
【００２３】
操作補助部材２は、アーム（棒部材）３と、アーム３を支持するアーム支持部（棒部材支持部）５とを備える。アーム３は中空になっていて、アーム３の内側を摺動する延長部材４を備える。延長部材４は、アーム３の内部を摺動することによってアーム３から突き出る部分の長さが変化する。すなわち、アーム３は、延長部材４が内側を摺動することによって伸縮する構成である。アーム３と延長部材４は、例えば、金属や樹脂等の材料によって形成される。本例に示すアーム３は、一つの延長部材４を備える二段階の構成である。さらに、延長部材４の内部を摺動する他の延長部材を備え、各延長部材が摺動することによって伸縮する三段階以上の構成であってもよい。
【００２４】
アーム支持部５は、ゴム等の弾性体によって形成される。したがって、アーム３に力が加えられるとアーム支持部５は変形し、アーム３は、アーム支持部５を中心に回転するように移動する。以下、操作補助部材２が取り付けられる側面１２１とアーム３とが平行になっていない状態を「開いた状態」と記す。また、アーム３と側面１２１とが平行になっている状態を「閉じた状態」と記す。後述するように、アーム３には、コイルばねによって、開いた状態を維持する力が加えられる。操作者がアーム３に力を加えなければ、アーム３はコイルばねの力によって、図１に示すような開いた状態になる。
【００２５】
一方、操作者がアーム３を側面１２１に近づけるように力を加えると、アーム３はアーム支持部５を中心にして側面１２１方向に回転する。ケース体の側面１２１に設けられたフック６は、アーム３を引っかけて固定し、閉じた状態を維持する。すなわち、アーム３が携帯電話装置の近傍に配置される状態を維持する。図２は、アーム３がフック６によって固定された状態を示す外観図である。
【００２６】
操作時にはアーム３をフック６から外し、アーム３が開いた状態で携帯電話装置１を操作する。携帯電話装置１を使用しないときには、アーム３をフック６に固定する。アーム３をフック６に固定することで、携帯電話装置１を収納する時にアーム３が邪魔にならないようにすることができる。
【００２７】
図３は、アーム支持部５にアーム３が取り付けられる状態を示す説明図である。図３では、アーム支持部５とアーム３を断面図として示し、断面の切り口部分のみを斜線で示す。アーム支持部５は、アーム３を挿入する挿入口１１を有する。アーム３は、挿入口１１に挿入され、接着剤等によってアーム支持部５に取り付けられる。
【００２８】
アーム支持部５は、挿入口１１に通じる中空部１４を有するように形成される。また、挿入口１１に挿入されるアーム３の先端には、穴１５が設けられる。アーム支持部５の中空部１４には、コイルばね２１の一端２１ａが入れられ、さらに一端２１ａは、アーム３の穴１５に挿入される。このように、アーム支持部５に取り付けられたアーム３には、コイルばね２１の一端２１ａが挿入される。そして、コイルばね２１はアーム３の内側から力を加え、開いた状態を維持しようとする。なお、コイルばね２１の他端２１ｂは、携帯電話装置１のケース体内部で固定される。
【００２９】
また、アーム支持部５は、第一の凹部１２および第二の凹部１３を有するように形成される。携帯電話装置１のケース体には、第一の凹部１２および第二の凹部１３に対応する凸部が設けられる。第一の凹部１２および第二の凹部１３とケース体の凸部とが嵌合することによって、アーム支持部５はケース体に取り付けられる。
【００３０】
図４は、操作補助部材２が取り付けられた携帯電話装置１の取付部分の断面図である。図４に示すように、操作補助部材２の第一の凹部１２および第二の凹部１３が、携帯電話装置１のケース体の凸部に嵌合して、アーム支持部５はケース体に取り付けられる。また、携帯電話装置１の内側から、コイルばね２１の一端２１ａが、アーム支持部５に取り付けられたアーム３の穴１５に挿入される。
【００３１】
携帯電話装置１の内部には、Ｌ字型に折れ曲がったＬ字型突起１６が設けられる。コイルばね２１の他端２１ｂは、Ｌ字型突起１６に引っかかることによって固定される。この結果、一端２１ａはアーム３に力を加え、開いた状態を維持しようとする。
【００３２】
次に、操作補助部材２が取り付けられた場合の携帯電話装置１の操作について説明する。図５は、操作補助部材２が取り付けられた状態でキーを操作する様子を示す説明図である。図５（ａ）は、親指側のキーを押下する様子を示し、図５（ｂ）は、親指から遠い位置にあるキーを押下する様子を示す。操作者は、親指以外の指で携帯電話装置１のケース体を支えるとともに、親指と人差し指との間にアーム３を添える。そして、アーム３が親指と人差し指との間に押し当てられた状態で、親指を動かしてキーを押下する。親指から遠い位置にあるキーを押下する場合、アーム３が側面１２１に押されるが、アーム３はコイルばねの力によって親指の付け根付近を押し戻そうとする。このように、アーム３は、親指の付け根付近がキーに近づきすぎないようにする。
【００３３】
このように操作補助部材２を取り付けることによって、親指以外の指だけでなく、手の広い範囲で携帯電話装置１を支えられるようになる。したがって、操作時に携帯電話装置１を安定に保持できるようになり、キーを押下しやすくなる。また、親指の付け根とキーとの間が近づきすぎないように、アーム３によって力が加えられる。そのため、親指の付け根とキーボタンの位置がほぼ一定に保たれ、親指が不自然な動きをすることを防止できる。この結果、操作者が疲労やストレスを感じることもなくなる。
【００３４】
また、アーム３は、延長部材４によって伸縮する。そのため、操作者は、携帯電話装置１を保持しやすい長さにアーム３を調整することができる。
【００３５】
次に、本発明の第二の実施の形態について説明する。
本例の操作補助部材は、アーム支持部が変形してアームを回転させるのではなく、軸をを中心にアームを回転させるものである。図６は、携帯電話装置１のケース体うち、操作補助部材を取り付ける部分の断面図である。図７は、軸にアームおよびコイルばねが取り付けられる状態を示す説明図である。
【００３６】
図６に示すように、ケース体には、アームの回転軸となる円柱状の軸３１が設けられる。また、ケース体の内部には、Ｌ字型に折れ曲がったＬ字型突起１６が設けられる。
【００３７】
本例に用いられるアーム（棒部材）４１は、一端に軸３１を挿入するリング型の部材（以下、単にリングと記す。）４２を備える。リング４２の内径は、軸３１の直径と等しくなるように定められる。なお、アーム４１の内部は中空になっていて、第一の実施の形態に示すアーム３と同様に、延長部材（図７において図示せず。）を備える。
【００３８】
また、コイルばね２１の内径は、軸３１の直径と等しくなるように定められる。リング４２およびコイルばね２１には、軸３１が挿入される。アーム４１は、外周に突起４３を有するように形成され、突起４３にはコイルばね２１の一端２１ａが押し当てられる。
【００３９】
図８は、リング４２およびコイルばね２１に軸３１を挿入することによって、アーム４１とコイルばね２１をケース体に取り付けたときの断面図である。コイルばね２１の他端２１ｂは、Ｌ字型突起１６によって固定される。この結果、一端２１ａは突起４３に力を加え、開いた状態を維持しようとする。
【００４０】
アーム４１を閉じるように力を加えると、アーム４１は閉じた状態になる。ケース体は、第一の実施の形態と同様にフック（図８において図示せず。）を備え、閉じた状態を維持できるようにする。
【００４１】
本例における操作は、第一の実施の形態と同様である。操作時にコイルばね２１が突起４３に力を加え、開いた状態を維持しようとする。したがって、第一の実施の形態と同様の効果を得ることができる。また、アーム４１は、延長部材によって伸縮する構成であるので、携帯電話装置を保持しやすい長さに調整することができる。
【００４２】
次に、本発明の第三の実施の形態について説明する。
図９（ａ）は、本例の操作補助部材の外観図である。操作補助部材５１は、アーム（棒部材）５２と、金属板（板部材）５３とを備える。アーム５２は、弾力性を有する材料によって形成する。例えば、ばね用のステンレス鋼によって形成する。また、アーム５２は、一本の棒状体の一端が鈎型に湾曲した形状になるように形成する。アーム５２の湾曲した一端は、金属板５３に固定される。例えば、溶接によって固定される。
【００４３】
金属板５３は、携帯電話装置１の側面１２１に収まる形状であり、側面１２１に接するように取り付けられる。そして、金属板５３には、所定の方向に延びる溝（板部材嵌合部）５４が設けられる。溝５４は、金属板５４が側面１２１に取り付けられた状態で、側面１２１の長手方向と平行となる方向に延びるように設けられる。
【００４４】
携帯電話装置１の側面１２１には、鈎部材（ケース体嵌合部）５５ａ，５５ｂが設けられる。図１０は鈎部材５５ａの形状を示す斜視図である。鈎部材５５ａは、Ｌ字型に曲がった形状をしており、その先端には、鈎状の突起５６が設けられている。鈎部材５５ｂは、鈎部材５５ａと同様の形状である。金属板５３は、溝５４と鈎部材５５ａ，５５ｂの突起５６とが嵌合することによって、側面１２１に取り付けられる。
【００４５】
図９（ｂ）は、操作補助部材５１が携帯電話装置１に取り付けられたときの外観図である。溝５４は、側面１２１の長手方向と平行になるように設けられているので、金属板５３は、鈎部材５５ａ，５５ｂに引っかけられた状態で、側面１２１上を摺動する。
【００４６】
アーム５２は、操作者によって側面１２１方向に押されると、閉じた状態に変形し、力が解放されると元の形状に戻る。側面１２１にはフック６が設けられ、アーム５２を閉じた状態に維持することができる。
【００４７】
操作者が、キー操作を行う場合には、操作補助部材５１が取り付けられた状態で手に保持する。上述の第一、第二の実施の形態と同様、親指以外の指で携帯電話装置１のケース体を支えるとともに、親指と人差し指との間にアーム５２を添える。そして、アーム５２が親指と人差し指の間に押し当てられた状態で親指を動かしてキーを押下する。アーム５２は、側面１２１側に押されると変形する。このとき、アーム５２は元の形状に回復しようとし、この結果、親指の付け根付近を押し戻そうとする。
【００４８】
従って、第一、第二の実施の形態と同様、手の広い範囲で携帯電話装置を保持できるようになる。また、親指の付け根とキーとの間が近づきすぎないように、アーム５２によって力が加えられ、親指が不自然な動きをすることを防止できる。この結果、操作者が疲労やストレスを感じなくなる。
【００４９】
また、第三の実施の形態では、金属板５３は、図９（ｂ）に示すように側面１２１上を摺動できる。そのため、操作者は、携帯電話装置１を保持しやすい位置にアーム５２を移動させることができる。
【００５０】
携帯電話装置を使用しないときには、操作補助部材５１を鈎部材５５ａ，５５ｂから外しておけばよい。あるいは、アーム５２をフック６に固定しておいてもよい。
【００５１】
次に、本発明の第四の実施の形態について説明する。
図１１は、本例の操作補助部材の外観図である。操作補助部材６１は、塊状の形状であり、軟質の弾性体によって形成される。例えば、ゴムやスポンジによって形成される。操作補助部材６１は、面ファスナ６４等によって側面１２１に取り付けられる。そして、操作補助部材６１は、携帯電話装置１が親指以外の指で支持され、携帯電話装置のキーが親指によって押下される場合に、掌の一部に接触するように形成される。例えば、携帯電話装置１が親指以外の指によって支持されたときに、側面１２１との接触面６２の反対側が掌の中央に位置するように形成される。ただし、接触面６２を底面とした場合の操作補助部材６１の高さは均一である必要はなく、キー１２０を操作する親指によって包み込まれる部分が掌の中央に位置するように形成すればよい。すなわち、図１１に示すように、キー１２０の近辺における高さと、表示部１３１の近辺における高さが異なっていてもよい。
【００５２】
なお、面ファスナとしては、マジックテープ（登録商標）等がある。
【００５３】
操作者は、親指以外の指で携帯電話装置１のケース体を支えるとともに、掌の一部で操作補助部材６１を支える。そして、親指で操作補助部材６１を包み込むようにした状態でキー１２０を押下する。親指から遠い位置にあるキーを押下する場合、操作補助部材６１は押し込まれて変形する。このとき、操作補助部材６１は弾性体であるので、元の形状に回復しようとする。この結果、操作補助部材６１は、親指の付け根付近をキーの反対方向に押し戻そうとする。このように、操作補助部材６１は、親指の付け根付近がキー１２０に近づきすぎないようにする。
【００５４】
このように、操作補助部材６１が取り付けられた携帯電話装置１を、親指以外の指と掌を用いて支えるので、安定に保持することができる。また、親指の付け根とキーとの間が近づきすぎないように、操作補助部材６１によって力が加えられ、親指が不自然な動きをすることを防止できる。この結果、操作者が疲労やストレスを感じなくなる。さらに、操作補助部材６１の材料としてゴムやスポンジ等の弾性体を用いれば、操作補助部材６１を安価に形成することができる。
【００５５】
第四の実施の形態において、操作補助部材６１を側面１２１に取り付ける手段は、面ファスナに限定されない。例えば、操作補助部材６１にネジを通すための穴を設け、ネジによって携帯電話装置１に取り付けられてもよい。あるいは、バンド等によって携帯電話装置１と束ねられて固定されてもよい。面ファスナ、ネジ、バンドのいずれを用いても、操作補助部材６１を携帯電話装置１から着脱可能とすることができる。また、着脱可能とせずに、接着剤等によって固着させてもよい。
【００５６】
また、本例では、操作補助部材６１をゴムやスポンジ等の弾性体で形成する場合について説明したが、操作補助部材６１は、気体（例えば、空気）が注入されることによって形状を維持する袋として形成されてもよい。この場合、操作補助部材６１は、ゴムやビニールによって形成し、風船のように気体を注入して形状を維持させる。また、操作補助部材６１に、弁部を設け、気体を出し入れできるようにする。このような構成とすれば、携帯電話装置１から取り外したときには空気を抜いて小さく畳むことができる。
【００５７】
気体が注入される袋として形成する場合であっても、上述の場合と同様に、面ファスナ、ネジ、バンド等によって取り付けられる。ネジによって取り付ける場合には、袋にネジを通すためのへりを設ければよい。また、接着剤等によって固着させてもよい。
【００５８】
第四の実施の形態に示す発明は、以下のような携帯電話装置の操作補助部材であってもよい。
【００５９】
弾性体によって形成される携帯電話装置の操作補助部材であってもよい。
【００６０】
気体が注入されることによって形状を維持する袋として形成される携帯電話装置の操作補助部材であってもよい。
【００６１】
面ファスナによって携帯電話装置に取り付けられる携帯電話装置の操作補助部材であってもよい。
【００６２】
ネジによって携帯電話装置に取り付けられる携帯電話装置の操作補助部材であってもよい。
【００６３】
バンドによって携帯電話装置と束ねられる携帯電話装置の操作補助部材であってもよい。
【００６４】
携帯電話装置に固着される携帯電話装置の操作補助部材であってもよい。
【００６５】
上記の各例では、右手で携帯電話装置を操作する者を対象にして操作補助部材が設けられる場合を説明した。左手で携帯電話装置を操作する者を対象にする場合には、反対側の側面に操作補助部材を設ければよい。
【００６６】
【発明の効果】
本発明の携帯電話装置によれば、キーが配置されるケース体と、一端がケース体の近傍に配置される棒部材と、棒部材の他端がケース体の側面から離れた状態を維持するように、棒部材に力を加えるばね部材とを備え、棒部材は、棒部材の内部を摺動することによって棒部材から突き出る部分の長さが変化する延長部材を備えている。従って、親指以外の指だけでなく、手の広い範囲で携帯電話装置を支えることができ、携帯電話装置を安定に保持できる。また、親指の付け根とキーとの間が近づきすぎないように力が加えられ、親指が不自然な動きをすることを防止できる。この結果、操作者が疲労やストレスを感じなくなる。
【００６７】
また、本発明の携帯電話装置によれば、キーが配置されるケース体と、一端が鈎型に湾曲した棒部材と、棒部材の一端が取り付けられる板部材とを備え、ケース体は、板部材と嵌合するケース体嵌合部を備え、板部材は、ケース体と嵌合する板部材嵌合部を備え、携帯電話装置の長手方向に摺動し、棒部材は、変形すると元の形状に回復しようとする。従って、親指以外の指だけでなく、手の広い範囲で携帯電話装置を支えることができ、携帯電話装置を安定に保持できる。また、親指の付け根とキーとの間が近づきすぎないように力が加えられ、親指が不自然な動きをすることを防止できる。この結果、操作者が疲労やストレスを感じなくなる。
【００６９】
また、本発明の携帯電話装置の操作補助部材は、携帯電話装置を保持しやすくするために携帯電話装置のケース体に取り付けられる携帯電話装置の操作補助装置であり、一端を中心に回転するように移動する棒部材と、棒部材の位置を一定に維持するように、棒部材に力を加えるばね部材とを備え、棒部材は、棒部材の内部を摺動することによって棒部材から突き出る部分の長さが変化する延長部材を備えている。従って、親指以外の指だけでなく、手の広い範囲で携帯電話装置を支えることができ、携帯電話装置を安定に保持できる。また、親指の付け根とキーとの間が近づきすぎないように力が加えられ、親指が不自然な動きをすることを防止できる。この結果、操作者が疲労やストレスを感じなくなる。
【００７０】
また、本発明の携帯電話装置の操作補助部材は、携帯電話装置を保持しやすくするために鈎部材を備える携帯電話装置のケース体に取り付けられる携帯電話装置の操作補助装置であり、一端が鈎型に湾曲した棒部材と、棒部材の一端が取り付けられる板部材とを備え、板部材は、ケース体の鈎部材と嵌合する板部材嵌合部を備え、板部材嵌合部は、所定の方向に延びる溝であり、棒部材は、変形すると元の形状に回復しようとする。従って、親指以外の指だけでなく、手の広い範囲で携帯電話装置を支えることができ、携帯電話装置を安定に保持できる。また、親指の付け根とキーとの間が近づきすぎないように力が加えられ、親指が不自然な動きをすることを防止できる。この結果、操作者が疲労やストレスを感じなくなる。
【図面の簡単な説明】
【図１】  本発明の第一の実施の形態を示す外観図である。
【図２】  アームがフックによって固定された状態を示す外観図である。
【図３】  アーム支持部にアームが取り付けられる状態を示す説明図である。
【図４】  操作補助部材の取付部分の断面図である。
【図５】  操作補助部材が取り付けられた状態でキーを操作する様子を示す説明図である。
【図６】  本発明の第二の実施の形態による操作補助部材が取り付けられるケース体の断面図である。
【図７】  軸にアームおよびコイルばねが取り付けられる状態を示す説明図である。
【図８】  操作補助部材の取付部分の断面図である。
【図９】  本発明の第三の実施の形態を示す外観図である。
【図１０】  鈎部材の形状を示す斜視図である。
【図１１】  本発明の第四の実施の形態を示す外観図である。
【図１２】  従来の携帯電話装置のキーを操作する様子を示す説明図である。
【符号の説明】
１  携帯電話装置
２  操作補助部材
３  アーム
４  延長部材
５  アーム支持部
６  フック
１１  挿入口
１２  第一の凹部
１３  第二の凹部
１５  穴
１６  Ｌ字型突起
２１  コイルばね
【図１】
0003716202.tif 000002
【図２】
0003716202.tif 000003
【図３】
0003716202.tif 000004
【図４】
0003716202.tif 000005
【図５】
0003716202.tif 000006
【図６】
0003716202.tif 000007
【図７】
0003716202.tif 000008
【図８】
0003716202.tif 000009
【図９】
0003716202.tif 000010
【図１０】
0003716202.tif 000011
【図１１】
0003716202.tif 000012
【図１２】
0003716202.tif 000013